(57)【要約】  濾波済み補助電力出力付きの電力線通信装置は、実際の通信器械に組込まれた高インピーダンスフィルタ（５、６、７）を使用することにより、電力線通信（ＰＬＣ）システムのカバレージを大きく拡張することを可能にすると共に、通信器械と同じソケットに電気機器を接続することにより、不利な環境下でのＰＬＣ技術の利用が抱える問題が回避される。
2009530938.tif 000002
【特許請求の範囲】
【請求項１】
濾波済み補助電力出力付きの電力線通信装置において、
受動部品を含むフィルタを備え、該フィルタが、通信装置の幹線への直接接続部と濾波済み補助電力出力の間に挿入された電力線通信装置。
【請求項２】
フィルタが、電圧サージに対する少なくとも１個の保護要素を含む請求項１に記載の電力線通信装置。
【請求項３】
通信装置とフィルタが単一装置に一体化され、該単一装置が、幹線への接続部と、インピーダンス又はノイズの影響により通信装置と干渉しやすい他の装置の接続のための濾波済み出力とを備える請求項１に記載の電力線通信装置。
【発明の詳細な説明】
【技術分野】
【０００１】
本明細書の発明の名称に述べるように、本発明は、他の電気機器の接続が許容される、濾波済み補助電力出力付きの電力線通信装置に関する。
【０００２】
本発明の目的は、他の電気機器の電源が生じるノイズやインピーダンス低下等の悪影響を受けることなく、他の電気機器を接続する必要のあるソケットに接続することのできる
電力線通信装置を提供することである。
【０００３】
本明細書において、用語「ＰＬＣ」は、「電力線通信」を意味する。
【背景技術】
【０００４】
電力線通信（ＰＬＣ）システムの信頼性を測定するための最も重要なパラメータの一つは、得られるカバレージである。このカバレージは、システム又は利用する変調のダイナミックレンジのみならず、システムが機能すべき環境にも依存する。
【０００５】
家庭では、ＰＬＣ器械を、コンピュータ、モニタ、テレビ等の他の電気機器と共用するソケットに接続する必要が非常にしばしばある。通常、この電気機器は、電力線通信中に使用されるある周波数で幹線内の電気的変化を作動中に生じるスイッチモード電源（ＳＭＰＳ）を、その簡潔性、効率と低価格のゆえに備える。
【０００６】
よって、フィルタは、ＳＭＰＳによって幹線に導入されるノイズを消去するために、特に、もしＰＬＣ器械が電気機器の近くに配置される場合は、通常、使用されねばならない。更に、ＳＭＰＳに含まれるコンデンサ（ＥＭＩ）は、ＰＬＣ信号のための短絡として働くため、２０〜３０ｄＢの損失が通信のダイナミックレンジに発生する。
【０００７】
これらの問題を解決するために、本発明の装置は、高インピーダンス低域フィルタを通信器械と電気機器の間に挿入することにより、ＰＬＣ器械の注入点を電気機器の残りに対して断路することに成功した。このようにして、ＥＭＩコンデンサによる低インピーダンスの代わりに、高インピーダンスが通信器械に付与されて、ＳＭＰＳによって導入されたノイズが濾波される。
【０００８】
電力線通信器械においてインピーダンスの適応を実施するのに使用されて、「電力線通信システムと電力線分岐装置」と題する特許文献１に、他の方法が考察されている。本発明は、異なる装置を提供し、該装置は、本発明の主な利点である、幹線に接続された他の機器によって発生されるノイズを回避すると共に、該装置に全ユニット、通信器械とフィルタを含むことができるという追加の利点をもたらし、更に、通信器械とフィルタを共同で実施することによってカバレージを得る。
【０００９】
同様に、濾波済み補助電力出力を電力線通信器械に設置することは、従来技術に対して新規性を構成する。
【特許文献１】米国特許第６，９８７，４３０号明細書
【発明の開示】
【発明が解決しようとする課題】
【００１０】
上記目的を達成すると共に、上記欠点を解消するために、本発明は、濾波済み補助電力出力付きの電力線通信装置から成り、該電力線通信装置が、インダクタンスやコンデンサ等の受動部品で形成されたフィルタを備え、更に、受動部品が、電力線通信装置の幹線への直結部と電力線通信装置の電力出力又は濾波済み補助電力出力の間に挿入されることを特徴とする。
【課題を解決するための手段】
【００１１】
上記フィルタの実施は、幹線における電圧サージに対する保護を含む。
【００１２】
電力線通信装置を実施する通常のやり方は、通信器械とフィルタを単一ユニットに組合せて、そのユニットが、幹線への接続部を有すると共に、電力線通信装置が、インピーダンスやノイズによって電力線通信装置と干渉しやすい装置の残りへの濾波済み出力を提供する。
【発明を実施するための最良の形態】
【００１３】
以下に、本発明の一実施の形態を図面を参照して説明する。
【００１４】
本発明の使用は、ＰＬＣシステムのカバレージを拡張して、インピーダンスやノイズと、電力線通信をするために使用されるソケットの一つの封鎖によって生じる問題を大幅に緩和する。
【００１５】
ＰＬＣモデムは、通常、電力出力又はソケットがいくつかの装置によって共用される環境において使用され、これらの装置は、普通、スイッチモード電源を備える。更に、スイッチモード電源は、ＰＬＣ通信に使用されるバンドでノイズを発生すると共に、通常、１５０ｋＨｚ〜３０ＭＨｚのバンドのディファレンシャルモードで励振放射を減らすために、入力に対してコンデンサを有する。このコンデンサは、ＰＬＣ通信に最も使用されるバンドである１５０ｋＨｚ〜３０ＭＨｚのバンドの信号のための低インピーダンスとして作用する機能を果たす。
【００１６】
これは、モデムが電気的にこれらの電源の近傍に配置されている時、電源と同じくらい多くのＥＭＩ抑制コンデンサがモデムと並列に配置され、よって、全体的な結果が、１５０ｋＨｚ〜３０ＭＨｚの作動範囲で非常に高い値のコンデンサをＰＬＣモデムと並列に配置することと同等であることを間接的に意味する。
【００１７】
ＰＬＣモデムが信号の送信を試みる時、高レベル電圧を電力線に配置することを防止する非常に低いインピーダンスが存在する。等価コンデンサは、モデムの信号出力端子において短絡として振舞い、このことは、モデムが信号電力を幹線に印加し得ることを防止するのと同等である。同様に、モデムに到達するどの信号も、その入力において低インピーダンスに出会う時にそのレベルが急激に低下する。モデムは、信号電力を電圧の形で受ける。最終結果は、ＰＬＣシステムの性能のかなりの低下である。
【００１８】
ＰＬＣモデムと同じ場所に接続された１組の装置によって生成される減衰は、接続された器械の個数とこれら器械のモデムに対する近接度に応じて、ＰＬＣ通信に対して非常に危険な点に到達し得る。
【００１９】
信号に対する短絡効果に加えて、スイッチモード電源は、相対的に厳格なＥＭＣ規制に従わねばならないにも拘わらず、ブロードバンド・ノイズを幹線に導入する。ＰＬＣモデムの接続点とノイズを発生する装置の間に挿入されたフィルタの使用は、モデムの信号入力でのノイズレベルを下げることを助ける。
【００２０】
前述したように、ＰＬＣモデムの機能のための自然な環境は、電源が、ＰＬＣモデムと同じ場所に接続されたスイッチングシステムの下で機能すると共に、器械によって囲まれていることである。これらの電源は、インピーダンスの大きな低下を誘起すると共に、接続点にブロードバンド・ノイズを導入する。もし接続点で何もなされない場合、電力線通信技術の採用は重大に害される。
【００２１】
更に、ＰＬＣモデムがソケットに差込まれる時、更に、ＰＬＣモデムがソケットに直接差込まれると共に、そのソケットが他のどの装置とも共用されていない時、最大カバレージが得られる。上記装置は、他の装置がＰＬＣシステムのカバレージを害すること無しに、他の装置のための補助アウトレット２が設けられているので、ＰＬＣモデムが差込まれるソケットを閉鎖しなくてもよいことを許容する。
【００２２】
図１は、フィルタの実施を示す。図１では、通信装置（不図示）が、幹線のためのソケット１にアウトレット３において接続されている。補助アウトレット２は、ソケット１を使用する必要のある機器（不図示）の残りを接続するように構成された濾波済み出力である。この例では、濾波は、コンデンサ７と２個のインダクタンス５及び６によってなされる。更に、ソケット１の近くに、抵抗器４によって表されるヒューズが設けられている。
【００２３】
図２は、通信装置とフィルタの一体的な組合せから成る装置１０の外観が見える装置１０の実施形態の一例を示す。図２に示すように、ソケット１は閉鎖されていないと共に、インピーダンスの上昇や発生するノイズ等の悪影響を受けること無く、他の電気機器を補助アウトレットに差込むことができることにより、電力線通信においてより大きなカバレージを有することができる。
【００２４】
装置１０は、ソケット８を使用して幹線に接続される一方、機器の残りは、幹線に直接接続されずに、補助アウトレット９に接続される。通信器械自身は、フィルタ５、６及び７とヒューズ４と共に装置１０の中に配置されている。
【図面の簡単な説明】
【００２５】
【図１】幹線に対する出力と濾波済み補助アウトレットがあるように、フィルタが通信装置の後方に配置された一例を示す。
【図２】通信器械とフィルタを一体化させた装置の正面斜視図と背面斜視図である。
【符号の説明】
【００２６】
１  ソケット
２  補助アウトレット
３  アウトレット
４  抵抗器
５  インダクタンス
６  インダクタンス
７  コンデンサ
８  ソケット
９  補助アウトレット
１０  装置
【図１】
2009530938.tif 000003
【図２】
2009530938.tif 000004
【国際調査報告】
2009530938.tif 000005
2009530938.tif 000006
2009530938.tif 000007
2009530938.tif 000008
2009530938.tif 000009
2009530938.tif 000010